(57)【特許請求の範囲】
【請求項１】
同軸上にスライド可能に配置された複数のシリンダを有する多段式の洗浄ノズルと、駆動モータの回転を少なくとも一つの前記シリンダに伝達して前記洗浄ノズルを伸展又は収縮させる可撓ラックと、前記駆動モータの回転を前記可撓ラックの往復動作に変換する伝達部と、前記洗浄ノズルを伸縮可能に保持するガイドレールを有するノズル支持台と、をケーシング内に備えた衛生洗浄装置であって、
前記ノズル支持台を介して前記洗浄ノズルを前記ケーシングに固定し、
前記駆動モータおよび前記伝達部を、前記ノズル支持台を介さずに前記ケーシングに固定したことを特徴とする衛生洗浄装置。
【請求項２】
前記ノズル支持台を制振部材を介して前記ケーシングに固定したことを特徴とする請求項１記載の衛生洗浄装置。
【請求項３】
前記ノズル支持台を前記ケーシングに固定する固定部として前記ノズル支持台の後部にフランジを延設し、前記駆動モータおよび前記伝達部をユニット化したノズル駆動ユニットを前記ケーシングに固定する固定手段を前記フランジと重合するように前記ノズル支持台の後方に設け、前記ノズル駆動ユニットを前記固定手段の上方に配置したことを特徴とする請求項１または２記載の衛生洗浄装置。
【発明の詳細な説明】
【技術分野】
【０００１】
本発明は、洋式便器に設置される衛生洗浄装置に関する。
【背景技術】
【０００２】
従来の衛生洗浄装置として、洗浄ノズルを進退可能に支持するノズル支持台に、当該洗浄ノズルの進退動作を行う駆動部を一体化させて形成されたノズルユニットを、ケーシングに固定したものがある（例えば、特許文献１参照）。
【０００３】
一方、近年においては、洋式便器の清掃性向上を要請されるようになり、その要請を満たす手段として、衛生洗浄装置のケーシングが洋式便器のボウル部領域へ突出しない構造となるように、ケーシング部分の前後方向のサイズの短縮化が検討されている。このような衛生洗浄装置においては、前後方向のサイズが短縮化されたケーシング内に収納される洗浄ノズルの長さもサイズダウンする必要があるため、同軸上に互いにスライド可能に配置された複数のシリンダで形成された伸縮可能な多段式の洗浄ノズルが適している。
【０００４】
【特許文献１】特開２００１−１３２０５７号公報
【発明の開示】
【発明が解決しようとする課題】
【０００５】
多段式の洗浄ノズルは複数層のシリンダで形成され、伸縮動作の際のシリンダ移動距離が従来の単段式洗浄ノズルよりも大であるため、特許文献１に記載されているように、ノズル支持台に取り付けられた駆動部のモータによってノズルの伸縮動作をさせることができない。そこで、本出願人は、多段式の洗浄ノズルの先端部を構成するシリンダを進退させるための可撓ラックを設け、この可撓ラックを洗浄ノズルの後方で往復動作させる機構を備えた衛生洗浄装置を提案している（特願２００６−０３４５３１）。
【０００６】
このような衛生洗浄装置においては、限られたケーシング内の部品収納スペースを有効活用する必要があるため、可撓ラックの駆動部は洗浄ノズルを保持するノズル支持台の後部上方に配置される結果、駆動部はノズル支持台に対して「片持ち状態」に配置されている。このため、洗浄水を脈動させながら吐水する場合は、洗浄水の脈動が洗浄ノズルやノズル支持台に与える振動が「片持ち状態」の駆動部により増幅されてしまうことがある。
【０００７】
本発明が解決しようとする課題は、洗浄動作中の振動を抑制することのできる衛生洗浄装置を提供することにある。
【課題を解決するための手段】
【０００８】
本発明の衛生洗浄装置は、同軸上にスライド可能に配置された複数のシリンダを有する多段式の洗浄ノズルと、駆動モータの回転を少なくとも一つの前記シリンダに伝達して前記洗浄ノズルを伸展又は収縮させる可撓ラックと、前記駆動モータの回転を前記可撓ラックの往復動作に変換する伝達部と、前記洗浄ノズルを伸縮可能に保持するガイドレールを有するノズル支持台と、をケーシング内に備えた衛生洗浄装置であって、
前記ノズル支持台を介して前記洗浄ノズルを前記ケーシングに固定し、
前記駆動モータおよび前記伝達部を、前記ノズル支持台を介さずに前記ケーシングに固定したことを特徴とする。
【０００９】
このような構成とすれば、洗浄ノズルはノズル支持台を介してケーシングに固定される一方、駆動モータおよび伝達部はノズル支持台を介さずにケーシングに固定されることにより、洗浄ノズルやノズル支持台の振動が増幅され難くなるため、洗浄動作中の振動を抑制することができる。
【００１０】
ここで、制振部材を介して前記ノズル支持台を前記ケーシングに固定すれば、洗浄ノズルの振動がケーシングへ伝播され難くなるため、さらに有効に振動を抑制することができる。
【００１１】
一方、前記ノズル支持台を前記ケーシングに固定する固定部として前記ノズル支持台の後部にフランジを延設し、前記駆動モータおよび前記伝達部をユニット化したノズル駆動ユニットを前記ケーシングに固定する固定手段を前記フランジと重合するように前記ノズル支持台の後方に設け、前記ノズル駆動ユニットを前記固定手段の上方に配置することが望ましい。このような構成とすれば、ノズル支持台の固定部分とノズル駆動ユニットの固定部位が重合されるため、洗浄ノズル及びその駆動機構をコンパクト化することができ、ケーシング内における占有スペースの削減および組立作業の効率化を図ることができる。
【発明の効果】
【００１２】
本発明の衛生洗浄装置により、洗浄動作中の振動を抑制することのできる衛生洗浄装置を提供することができる。
【発明を実施するための最良の形態】
【００１３】
以下、図面に基づいて本発明の実施の形態について説明する。図１は本発明の実施の形態である衛生洗浄装置を洋式便器上に設置した状態を示す斜視図、図２は図１に示す衛生洗浄装置から便座および便蓋を離脱させた状態を模式的に示す斜視図、図３は図１に示す衛生洗浄装置の水路系を示すブロック図、図４は図１に示す衛生洗浄装置を構成する洗浄ノズル付近の斜視図、図５は図１に示す衛生洗浄装置を構成するノズル支持台付近の斜視図、図６は図１に示す衛生洗浄装置を構成する洗浄ノズルの伸縮動作を示す図、図７，図８は図１に示す衛生洗浄装置を構成するノズル支持台付近の分解斜視図、図９は図１に示す衛生洗浄装置を構成するノズル駆動ユニットの斜視図、図１０は図７における矢線Ｘ部分の垂直断面図である。
【００１４】
図１，図２に示すように、本実施形態の衛生洗浄装置１０は、洋式便器１１の上面後部の平坦面１１ｆに設置され、使用者が着座するための便座１２と、洋式便器１１のボウル部１３および便座１２を開閉可能に覆う便蓋１４と、を備えている。衛生洗浄装置１０のケーシング１０ａの前面には、ボウル部１３の開口形状に合わせて後方に湾曲した凹曲面部１５が設けられている。この凹曲面部１５の中央部分に、後述する洗浄ノズル２０（図４参照）を出し入れするための開口部１６が設けられている。開口部１６には開閉板１７が設けられ、この開閉板１７の裏側に洗浄ノズル２０が伸縮可能に収納されている。
【００１５】
図３に示すように、本実施形態の衛生洗浄装置１０は、給水源から供給された水の下流側への送水を制御するバルブ４０と、供給された水を加熱して洗浄水を得る瞬間熱交換器４１と、小流量の洗浄水に脈動を与えて強い洗浄力を付与する電磁ポンプ４２と、洗浄ノズル２０及びノズル洗浄室４３への洗浄水の選択的供給及び流量調節を行う流調・流路切替弁４４からなる水路系を有している。洗浄ノズル２０に至る流路の途中に配置された電磁ポンプ４２が洗浄水に脈動を付与しているので、この衛生洗浄装置１０の洗浄ノズル２０は洗浄中に振動することになる。
【００１６】
便座１２に着座した使用者が所定の洗浄開始操作を行うと、開閉板１７が開いて開口部１６から、図４〜図７に示す洗浄ノズル２０のヘッドシリンダ２１から第３シリンダ２３までが突出し、その先端部の吐水孔２０ａから使用者の局部に向かって洗浄水が吐出される。また、洗浄終了後、使用者が所定の洗浄停止操作を行うと、洗浄水の吐出が停止した後、ヘッドシリンダ２１，第２シリンダ２２および第３シリンダ２３が開口部１６内へ後退し、開口部１６は再び開閉板１７で閉塞される。
【００１７】
衛生洗浄装置１０のケーシング１０ａ内には、図４〜図７に示すように、同軸上にスライド可能に配置された複数のシリンダ（ヘッドシリンダ２１，第２シリンダ２２，第３シリンダ２３，第４シリンダ２４）を有する多段式の洗浄ノズル２０のほか、駆動モータ２５の回転をヘッドシリンダ２１に伝達して洗浄ノズル２０を伸展、収縮させる可撓ラック２６と、駆動モータ２５の回転をギア２７を介して可撓ラック２６の往復動作に変換する伝達部２８と、洗浄ノズル２０を伸縮可能に保持するガイドレール１８を有するノズル支持台１９と、が設けられている。可撓ラック２６は、その一端がケーシング１０ａに固定されるラックチューブ３６内に挿通されている。
【００１８】
図４に示すように、洗浄ノズル２０は、ノズル支持台１９を介して、ケーシング１０ａに立設された複数のボス２９に固定され、図８〜図９に示すように、駆動モータ２５および伝達部２８は、取付台３２を介して、ケーシング１０ａに立設されたボス３０に固定されている。ノズル支持台１９は、制振部材である防振ゴム３１を介してケーシング１０ａのボス２９に固定されている。即ち、図７，図１０に示すように、ノズル支持台１９の後方に延設されたフランジ１９ｂに開設された固定孔１９ａと、ボス２９の縮径部２９ａと、の間に防振ゴム３１を配置し、縮径部２９ａの先端に座金３３を取り付け、ネジ３４で締め付けることによって固定されている。
【００１９】
また、前述した駆動モータ２５および伝達部２８はノズル駆動ユニット３５としてユニット化されており、このノズル駆動ユニット３５をケーシング１０ａに固定する手段である取付台３２が、ノズル支持台１９の後方に延設されたフランジ１９ｂの上部を跨ぐように設けられている。そして、この取付台３２の上方にノズル駆動ユニット３５が配置されている。
【００２０】
前述したように、ノズル支持台１９とノズル駆動ユニット３５とは、それぞれ別々にケーシング１０ａに固定される。具体的には、洗浄ノズル２０はノズル支持台１９を介してケーシング１０ａに固定され、駆動モータ２５および伝達部２８を備えたノズル駆動ユニット３５は、取付台３２を介するが、ノズル支持台１９を介することなく、ケーシング１０ａに固定されている。このような構造としたことにより、ノズル駆動ユニット３５は、取付台３２に対して「片持ち状態」となるが、振動する部材（ノズル支持台１９及び洗浄ノズル２０）とは分離しているので、ノズル駆動ユニット３５をケーシング１０ａに安定的に固定することができ、これによって洗浄動作中の振動を抑制することができる。従って、洗浄ノズル２０から吐水される洗浄水が脈動しているときに、ノズル駆動ユニット３５によって洗浄ノズル２０やノズル支持台１９の振動が増幅されることがない。また、ノズル支持台１９は防振ゴム３１を介してケーシング１０ａのボス２９に固定されているため、洗浄ノズル２０の振動がケーシング１０ａへ伝播され難く、振動を有効に抑制することができる。
【００２１】
一方、ノズル駆動ユニット３５を用いることにより、駆動モータ２５および伝達部２８を一体化し、さらにノズル支持台１９の後部側の取付け用のフランジ１９ｂを跨ぐようにして、ノズル駆動ユニット３５の取付台３２をケーシング１０ａに固定することにより、ケーシング１０ａに対するノズル支持台１９および取付台３２の取付け部位を重合させている。このため、コンパクト化を図ることができ、ケーシング１０ａ内における占有スペースの削減および組立作業の効率化を図ることができる。
【産業上の利用可能性】
【００２２】
本発明の衛生洗浄装置は、一般家庭や公共施設などの洋式便器において広く利用することができる。
【図面の簡単な説明】
【００２３】
【図１】本発明の実施の形態である衛生洗浄装置を洋式便器上に設置した状態を示す斜視図である。
【図２】図１に示す衛生洗浄装置から便座および便蓋を離脱させた状態を模式的に示す斜視図である。
【図３】図１に示す衛生洗浄装置の水路系を示すブロック図である。
【図４】図１に示す衛生洗浄装置を構成する洗浄ノズル付近の斜視図である。
【図５】図１に示す衛生洗浄装置を構成するノズル支持台付近の斜視図である。
【図６】図１に示す衛生洗浄装置を構成する洗浄ノズルの伸縮動作を示す図である。
【図７】図１に示す衛生洗浄装置を構成するノズル支持台付近の分解斜視図である。
【図８】図１に示す衛生洗浄装置を構成するノズル支持台付近の分解斜視図である。
【図９】図１に示す衛生洗浄装置を構成するノズル駆動ユニットの斜視図である。
【図１０】図７における矢線Ｘ部分の垂直断面図である。
【符号の説明】
【００２４】
１０  衛生洗浄装置
１１  洋式便器
１２  便座
１３  ボウル部
１４  便蓋
１５  凹曲面部
１６  開口部
１７  開閉板
１８  ガイドレール
１９  ノズル支持台
２０  洗浄ノズル
２０ａ  吐水孔
２１  ヘッドシリンダ
２２  第２シリンダ
２３  第３シリンダ
２４  第４シリンダ
２５  駆動モータ
２６  可撓ラック
２７  ギア
２８  伝達部
２９，３０  ボス
２９ａ  縮径部
３１  防振ゴム
３２  取付台
３３  座金
３４  ネジ
３５  ノズル駆動ユニット
３６  ラックチューブ
４０  バルブ
４１  瞬間熱交換器
４２  電磁ポンプ
４３  ノズル洗浄室
４４  流調・流路切替弁
【図１】
0004837443.tif 000002
【図２】
0004837443.tif 000003
【図３】
0004837443.tif 000004
【図４】
0004837443.tif 000005
【図５】
0004837443.tif 000006
【図６】
0004837443.tif 000007
【図７】
0004837443.tif 000008
【図８】
0004837443.tif 000009
【図９】
0004837443.tif 000010
【図１０】
0004837443.tif 000011